(57)【特許請求の範囲】
【請求項１】
キャビン（２）の底部にフロアパネル（１５）が装着され、そのフロアパネル（１５）にはエンジンカバー部（１８）を挟んで左右にそれぞれ座席（１Ｄ、１Ａ）が配置される領域（１５ｄ、１５ａ）が形成され、その領域（１５ｄ、１５ａ）には座席前部取付部（１６ｄ、１６ａ）と座席後部取付部（１７ｄ、１７ａ）とが設けられてそれぞれ座席（１Ｄ、１Ａ）が取付けられており、その座席（１Ｄ、１Ａ）の配置される領域（１５ｄ、１５ａ）から前方の操作装置（Ｅｄ）が設けられている前部パネル（１５ｆｄ、１５ｆａ）を覆う第１のカーペット（１０ｄ、１０ａ）と、座席（１Ｄ、１Ａ）下方からその後方のベッド下方および側方のセンターコンソール（Ｃｃ）を覆う第２のカーペット（８）とで構成されるフロアカーペットの配置構造において、前記座席前部取付部（１６ｄ、１６ａ）はフロアパネル（１５）からほぼ垂直に立ち上がりそして雌ねじ部（１６ｓ）を設けた前壁部（１６ｆ）と、その前壁部（１６ｆ）の後方でフロアパネル（１５）からほぼ垂直に立ち上がる後壁部（１６ｒ）と、その前壁部（１６ｆ）と後壁部（１６ｒ）とを連結する上部壁部（１６ｔ）とで構成されており、前記第２のカーペット（８）はその前縁部（８ａ）が前記上部壁部（１６ｔ）の一部を覆って敷設され、前記雌ねじ部（１６ｓ）にはアングル状の座席前部取付用ブラケット（２０）の垂直部（２０ｃ）がボルト（２２）で取付けられ、その座席前部取付用ブラケット（２０）の水平部（２０ａ）が前記第２のカーペット（８）の前縁部（８ａ）を挟んでおり、第１のカーペット（１０ｄ、１０ａ）はその後縁部（１０ｒ）が前記第２のカーペット（８）を挟んでいる座席前部取付用ブラケット（２０）の水平部（２０ａ）の上後部に位置して前方方向を覆い、垂下する垂直部（１０ｍ）は前記ボルト（２２）を覆ってフロアパネル（１５）上に連通して敷設されており、その垂直部（１０ｍ）は座席前部取付部の雌ねじ部（１６ｓ）から離隔して配置されていることを特徴とするフロアカーペットの配置構造。
【発明の詳細な説明】
【技術分野】
【０００１】
本発明は、車両の運転座席の前方向床面を覆う第１のカーペットと第１のカーペットの後方及び側方に配置される第２のカーペットとで構成されるフロアカーペットの配置構造に関するものである。
【背景技術】
【０００２】
図１は本発明のフロアカーペットを使用する部位を示した斜視図であって、キャビン２の底部にフロアパネル１５が装着され、その上面を図示しないフロアカーペットが覆って配置されている。符号１５ｄはドライバー用の座席が配置される領域を示し、符号１５ａはアシスタント用の座席が配置される領域を示している。符号Ｆは車両前方を示している。
【０００３】
図２はフロアパネル１５の主要部概要を示す斜視図であって、エンジンをカバーする上部に突起するエンジンカバー部１８を挟んでドライバー用の座席が配置される右側の領域１５ｄと、アシスタント用の座席が配置される左側の領域１５ａ、とが形成されている。
【０００４】
図３は上記フロアパネル１５に前部パネル１５ｆｄ、１５ｆａを付設した全体斜視図であって、ドライバー用の座席が配置される領域１５ｄとドライバー座席が固定される凸状のドライバー座席取り付け部Ｂｄと、アシスタント用の座席が配置される領域１５ａとアシスタント座席が固定される凸状のアシスタント座席取り付け部Ｂａ、とを示している。
【０００５】
ドライバー座席取り付け部Ｂｄは、座席の前部を固定する座席前部取付け部１６ｄと座席の後部を固定する座席後部取付け部１７ｄとで構成され、アシスタント座席取り付け部Ｂａは、座席の前部を固定する座席前部取付け部１６ａと座席の後部を固定する座席後部取付け部１７ａとで構成されている。
【０００６】
図４はフロアパネル１５のドライバー用の座席が配置される右側の領域１５ｄを含む周辺を示しており、座席前部取付け部１６ｄと、座席の後部を固定する座席後部取付け部１７ｄと、前方に装着されたペダル類等の操作装置Ｅｄ、との関係が示されている。符号Ｆは車両前方を示している。
【０００７】
図５は座席前部取付け部１６ｄと座席の後部を固定する明示しない座席後部取付け部とに、ドライバー用座席１Ｄが装着された状態を示しており、特に座席１Ｄの前部取付け部材１９の下部両端に固着された座席前部取付け用ブラケット２０ｄ、２０ｄが座席前部取付け部１６ｄに載置された状態を示している。符号Ｆは車両前方を示している。
【０００８】
図６はドライバー用の座席１Ｄとアシスタント用の座席１Ａ及び中央席１Ｃを示している。
座席１Ｄの前下方に前部取付け部材１９と座席前部取付け用ブラケット２０ｄとが装着され、座席１Ａの前下方に座席前部取付け用ブラケット２０ａが装着されている。
座席前部取付け用ブラケット２０ｄ及び２０ａのそれぞれに左右で一対の取付孔２０ｂ、２０ｂが設けられている。
符号Ｃｃはセンターコンソールの位置を示している。符号Ｆは車両前方を示している。
【０００９】
図７及び図８は座席前部取付け部１６ｄ（以降ドライバー座席とアシスタント座席を共通に説明するため添字を省いて１６とする。他の符号も差別不要の場合は添字を省略する。）に従来のフロアカーペットを敷設した周辺の状態を示している。
座席前部取付け部１６は、フロアパネル１５にほぼ垂直な前壁部１６ｆと後壁部１６ｒとほぼ水平な上部壁部１６ｔとで凸状に形成されていて、第２のカーペット８Ａが座席前部取付け部１６全体を覆っていてその前縁部８Ａａはフロアパネル１５の平面部にまで敷設されている。
ここで符号Ｆは車両前方を示している。
【００１０】
第２のカーペット８Ａの座席前部取付け部１６の上部壁部１６ｔの中央後部から前壁部１６ｆの高さ中央部にいたる長さ領域Ｈｈと座席前部取付けブラケット２０を挟む横方向長さ領域Ｈｂ、とで開口Ｓｏが形成されている。開口Ｓｏは横方向長さ領域Ｈｂが短く、ボルト２２のそれぞれに対して開口されているものもある。
【００１１】
第２のカーペット８Ａの前縁部８Ａａを覆って、第１のカーペット１０Ａが車両前方に向かって敷設されている。
座席前部取付け部１６の前壁部１６ｆの上部で第２のカーペット８Ａの開口Ｓｏの高さ方向中央に相当する位置に、雌ねじ部１６ｓが設けられ、雌ねじ部１６ｓに螺着されたボルト２２によって座席前下方の座席前部取付け用ブラケット２０が取付けられている。
【００１２】
上記のような従来のフロアカーペットの構成では、第２のカーペット８Ａの開口Ｓｏの下方縁部８Ａｔが座席前部取付け用ブラケット２０の下方端部２０ｔに噛み込まれることがある。仮に、第２のカーペット８Ａの開口Ｓｏの下方縁部８Ａｔが噛み込まれる不具合を含めて、上記の従来のフロアカーペットでは、以下のような不具合がある。
【００１３】
ａ）第２のカーペット８Ａの噛み込みにより、座席前部取付け用ブラケット２０が座席前部取付け部１６に不確実に取付けられてしまう。
ｂ）その不具合をさけるために開口を大きくすれば、噛み込みをなくし作業性もよくなるが、フロアパネル１５の素板とボルト２２が見えて外見が悪くかつ特にボルト２２は掃除の際の不安全突起になる懸念がある。
ｃ）第１と第２のカーペット８Ａ、１０Ａの重なり継目Ｚに泥、砂、水等が溜まり易くかつ掃除がし難い、等の欠点がある。
【００１４】
車両用フロアカーペットの組付け技術に、フロアカーペットに干渉する突起部材がある場合に、突起部材を回避する開口部を膨脹部に連結して形成し作業性をよくする技術が開示されている（特許文献件１参照）。
【００１５】
また、左右に分割したフロアマットをアンダカットを含むパネルに隙間なく被せる技術が開示されている（特許文献件２参照）。
【００１６】
しかし、このいずれの技術も、座席のフロアパネルへの固定とフロアカーペットに関する技術ではない。
【特許文献１】特開平９−１７５２５１号公報
【特許文献２】特開平６−３４４８１９号公報
【発明の開示】
【発明が解決しようとする課題】
【００１７】
解決しようとする問題点は、フロアパネルと座席をボルト固定時にフロアカーペットの縁部が噛み込まれることなく、敷設の作業性がよくかつ、ボルト結合用開口による外観を損ねないフロアカーペットの配置構造を提供するにある。
【課題を解決するための手段】
【００１８】
本発明によれば、キャビン２の底部にフロアパネル１５が装着され、そのフロアパネル１５にはエンジンカバー部１８を挟んで左右にそれぞれ座席１Ｄ、１Ａが配置される領域１５ｄ、１５ａが形成され、その領域１５ｄ、１５ａには座席前部取付部１６ｄ、１６ａと座席後部取付部１７ｄ、１７ａとが設けられてそれぞれ座席１Ｄ、１Ａが取付けられており、その座席１Ｄ、１Ａの配置される領域１５ｄ、１５ａから前方の操作装置Ｅｄが設けられている前部パネル１５ｆｄ、１５ｆａを覆う第１のカーペット１０ｄ、１０ａと、座席１Ｄ、１Ａ下方からその後方のベッド下方および側方のセンターコンソールＣｃを覆う第２のカーペット８とで構成されるフロアカーペットの配置構造において、前記座席前部取付部１６ｄ、１６ａはフロアパネル１５からほぼ垂直に立ち上がりそして雌ねじ部１６ｓを設けた前壁部１６ｆと、その前壁部１６ｆの後方でフロアパネル１５からほぼ垂直に立ち上がる後壁部１６ｒと、その前壁部１６ｆと後壁部１６ｒとを連結する上部壁部１６ｔとで構成されており、前記第２のカーペット８はその前縁部８ａが前記上部壁部１６ｔの一部を覆って敷設され、前記雌ねじ部１６ｓにはアングル状の座席前部取付用ブラケット２０の垂直部２０ｃがボルト２２で取付けられ、その座席前部取付用ブラケット２０の水平部２０ａが前記第２のカーペット８の前縁部８ａを挟んでおり、第１のカーペット１０ｄ、１０ａはその後縁部１０ｒが前記第２のカーペット８を挟んでいる座席前部取付用ブラケット２０の水平部２０ａの上後部に位置して前方方向を覆い、垂下する垂直部１０ｍは前記ボルト２２を覆ってフロアパネル１５上に連通して敷設されており、その垂直部１０ｍは座席前部取付部の雌ねじ部１６ｓから離隔して配置されている。
【００１９】
第1のカーペットの後縁部が座席前部取付け部に設けられた雌ねじ部よりも車両後方に位置しており、座席前部取付け部と座席の前部に設けられた座席前部取付け用ブラケットとの結合箇所を覆うように配置されているので第１及び第２のカーペットが雌ねじ部に噛み込まれることなく座席は確実にフロアパネルに固定される。
【００２１】
上記構成によって、第２のカーペットの前縁部が雌ねじ部より後方にあるので、第１のカーペットで雌ねじ部を覆っていない場合は露出されることになる。即ち第２のカーペットで第１のカーペットを補完することがないので噛み込みの懸念がない。
【００２３】
具体的実施に際しては、第１のカーペットの後縁部は座席前部取付け部に設けられた雌ねじ部より充分に後方までカバーして装着することがよい。
【発明の効果】
【００２８】
以上の通り本発明によれば、
（ａ）  第1のカーペットの後縁部が座席前部取付け部に設けられた雌ねじ部よりも車両後方に位置しており、座席前部取付け部と座席の前部に設けられた座席前部取付け用ブラケットとの結合箇所を覆うように配置されているので第１及び第２のカーペットが雌ねじ部に噛み込まれることなく座席は確実にフロアパネルに固定される。
（ｂ）  第1のカーペットの後縁部が座席前部取付け部に設けられた雌ねじ部よりも車両後方に位置しているので、座席前部取付け部と、座席の前部に設けられた座席前部取付け用ブラケット、との結合箇所を覆っていて、結合箇所を露出させないので外観がよい利点がある。
（ｃ）  第1のカーペットの後縁部が座席前部取付け部の前部にはないので段差がなく、ごみ、泥、砂、水等が溜まらず、また清掃が容易な利点がある。
（ｄ）  キャビンやフロアパネルを従来のままとし、カーペットの小変更のみで所期の目的が安価に達成できる利点がある。
（ｅ）  第２のカーペットには従来のようなボルト結合用の開口がなく、カーペットの製造が容易である。
【発明を実施するための最良の形態】
【００２９】
図９及び図１０において、フロアカーペットの敷設状態を示している。本発明の適用対象となる各部位を示す図１〜図６と図７及び８によって従来の状態を説明した際に使用した名称と符号は、形状と機能が同じであれば、重複して使用する。また、本発明のフロアカーペットの構造は、ドライバー側とアシスタント側に適用されるが以下にドライバー側を主として説明する。符号Ｆは車両前方を示している。
【００３０】
図５に示すように、座席１Ｄはフロアパネル１５の前後に形成された座席前部取付け部１６ｄと座席後部取付け部１７ｄ（図６）とに、装着されるよう構成されており、図９及び図１０において座席１Ｄの前部取付け部材１９の下部両端に装着された座席前部取付け用ブラケット２０ｄ、２０ｄが座席前部取付け部１６ｄに載置されている。
【００３１】
図９及び図１０に示すように、全体を符号１で示すフロアカーペットはドライバー座席１Ｄの主として前方向床面を覆う第１のカーペット１０と、座席１Ｄの下の部分とセンターコンソールＣｃと運転席の後方に配置されるベッドの下の部分をカバーする第２のカーペット８、とで構成されていて、フロアパネル１５に敷設されるよう形成されている。
【００３２】
座席前部取付け部１６は、フロアパネル１５に雌ねじ部１６ｓを設けたほぼ垂直な前壁部１６ｆと、後壁部１６ｒと、ほぼ水平な上部壁部１６ｔとで凸状に車両の横方向に延びて形成されていて、第２のカーペット８は後部からの前縁部８ａが雌ねじ部１６ｓの後方に位置する上部壁部１６ｔの１部を覆って敷設されている。
【００３３】
座席前部取付け部１６の上部壁部１６ｔに第２のカーペット８を挟んで座席１Ｄの前部に設けられたアングル状の座席前部取付け用ブラケット２０の水平部２０ａが載置されていて、垂直部２０ｃが取付用孔である貫通孔２０ｂを通るボルト２２によって前壁部１６ｆに設けられた雌ねじ部１６ｓに螺合締結されている。ボルト２２と、ボルト２２によって締結される座席前部取付け部１６の前壁部１６ｆと、座席前部取付け用ブラケット２０の垂直部２０ｃの周辺部が結合箇所を構成している。
【００３４】
第１のカーペット１０は、座席前部取付け用ブラケット２０の水平部２０ａの上後部に後縁部１０ｒが位置して、座席１Ｄの前方向床面を覆って車両前方に向かって敷設されている。第１のカーペット１０の後縁部１０ｒは上記配置によって雌ねじ部１６ｓから隔離されて噛み込みのないように敷設されている。
【００３５】
第１のカーペット１０の垂直部１０ｍは、前壁部１６ｆ及び座席前部取付け用ブラケット２０の垂直部２０ｃとほぼ平行に垂下し、ボルト２２を含む結合箇所を覆って、床面を形成するフロアパネル１５上に連通して敷設されている。
なお、第１のカーペット１０の垂直部１０ｍが雌ねじ部１６ｓ、ボルト２２を覆えない場合は明瞭に露出させて後縁部１０ｒが噛み込まれないようにすることが好ましい。
【００３６】
上記構成のフロアカーペット１の設置方法は、第２のカーペット８を敷設して準備し、座席前部取付け用ブラケット２０の貫通孔２０ｂにボルト２２を貫通する。
次ぎに、そのボルト２２を座席前部取付け部１６の前壁部１６ｆの雌ねじ部１６ｓに螺合させ、次ぎに座席前部取付け用ブラケット２０を座席前部取付け部１６に結合させる。
ここまでが結合工程である。
【００３７】
結合工程の次ぎに、第１のカーペット１０でボルト２２を覆ってフロアパネル１５に例えば平面ファスナを使用して敷設する。これによって、第１のカーペット１０が座席前部取付け部１６と座席前部取付け用ブラケット２０との結合箇所を覆う。これがボルトを覆う工程である。
【００３８】
上記工程によって第２のカーペット８と第１のカーペット１０とがボルト２２に噛み込まれることなく容易に敷設ができる。
【図面の簡単な説明】
【００３９】
【図１】本発明のフロアカーペットが装着されるキャビンとの関係を示す説明用斜視図である。
【図２】フロアパネルの主要部概要を示す斜視図である。
【図３】図２に前部パネルを付設したフロアパネル全体の斜視図である。
【図４】フロアパネルのドライバー用の座席が配置される右側の領域を含む周辺を示した斜視図である。
【図５】座席の前部を固定する座席前部取付け部と座席の後部を固定する座席後部取付け部とに、ドライバー用座席が装着された状態を示した斜視図である。
【図６】ドライバー用の座席とアシスタント用の座席及び中央席を示した斜視図である。
【図７】従来の座席前部取付け部の周辺の状態を示した側断面図である。
【図８】図７の正面図である。
【図９】本発明のフロアカーペットを敷設した座席前部取付け部の周辺の状態を示した側断面図である。
【図１０】図９の変断面Ｙ−Ｙを含む正面図である
【符号の説明】
【００４０】
１Ｄ・・・ドライバー座席
１Ａ・・・アシスタント座席
Ｃｃ・・・センターコンソール
１・・・フロアカーペット
２・・・キャビン
８・・・第２のカーペット
８ａ・・・（第２のカーペットの）前縁部
１０・・・第１のカーペット
１０ｒ・・・（第１のカーペットの）後縁部
１５・・・フロアパネル
１６・・・座席前部取付け部
１６ｓ・・・雌ねじ部
１７・・・座席後部取付け部
１８・・・エンジンカバー
２０・・・（座席の）座席前部取付け用ブラケット
２２・・・ボルト
【図１】
0004662752.tif 000002
【図２】
0004662752.tif 000003
【図３】
0004662752.tif 000004
【図４】
0004662752.tif 000005
【図５】
0004662752.tif 000006
【図６】
0004662752.tif 000007
【図７】
0004662752.tif 000008
【図８】
0004662752.tif 000009
【図９】
0004662752.tif 000010
【図１０】
0004662752.tif 000011